(57)【特許請求の範囲】
【請求項１】
スピンドルモータの回転軸に結合されたディスク支持部材にディスク状記録媒体が支持された状態で前記回転軸の回転駆動によって前記ディスク状記録媒体が回転するものであり、前記スピンドルモータが結合された可動部材が前記ディスク状記録媒体の媒体面へ近づく方向に移動することにより、停止した状態の前記ディスク状記録媒体に前記ディスク支持部材が接触し、前記ディスク状記録媒体と前記ディスク支持部材とが結合するようにしたディスク駆動装置において、
前記媒体面に平行な仮想平面に平行な仮想直線の周りを前記可動部材は変位可能に配置されており、前記仮想平面にほぼ平行な直線方向に移動すると共に前記直線方向に対し傾斜した傾斜部を有する移動体が配置され、前記可動部材の一部は前記傾斜部に接触するものであり、前記移動体が前記直線方向に移動することにより前記可動部材は所定位置へ向かって移動し、前記可動部材が前記所定位置に達した状態において前記媒体面へ近づく方向への前記可動部材の移動は停止すると共に前記ディスク状記録媒体と前記ディスク支持部材とは結合されており、前記可動部材が前記所定位置に達した状態を位置検出器が検出した後、ＣＰＵは前記スピンドルモータの回転駆動を開始させるものであり、前記可動部材がどの位置に変位した場合であっても、前記仮想直線と前記傾斜部との間の距離並びに前記仮想直線と前記位置検出器との間の距離の各前記距離は前記仮想直線と前記回転軸との間の距離に比較して大となる関係の構成を備えていることを特徴とするディスク駆動装置。
【請求項２】
請求項１に記載のディスク駆動装置において、前記可動部材が前記所定位置に達した状態において、弾性部材の復元力によって前記可動部材の一部が前記移動体の面部に押圧されていることを特徴とするディスク駆動装置。
【請求項３】
請求項１に記載のディスク駆動装置において、前記移動体が前記直線方向へ移動する移動機構には、前記直線方向に延びた長孔と該長孔に係合する係合部材とからなる構成が含まれていることを特徴とするディスク駆動装置。
【請求項４】
請求項３に記載のディスク駆動装置において、前記長孔は前記移動体に配置されており、前記係合部材はベースに配置されていることを特徴とするディスク駆動装置。
【請求項５】
請求項１に記載のディスク駆動装置において、前記移動体は定められた第１の位置と定められた第２の位置との間を前記直線方向に移動するものであり、前記ディスク状記録媒体が前記ディスク駆動装置内に配置された後、前記移動体は前記第１の位置から前記第２の位置へ向かって移動を開始することを特徴とするディスク駆動装置。
【請求項６】
請求項１に記載のディスク駆動装置において、前記可動部材は変位可能な状態でベースに支持されており、前記スピンドルモータと前記ベースとは互いにつながるように連結された複数の部材を介して連結されており、前記複数の部材には弾性を有する部材が含まれていることを特徴とするディスク駆動装置。
【請求項７】
請求項６に記載のディスク駆動装置において、前記弾性を有する部材は貫通孔を有していることを特徴とするディスク駆動装置。
【請求項８】
請求項６に記載のディスク駆動装置において、前記弾性を有する部材は貫通孔を有し且つほぼリング形状を成していることを特徴とするディスク駆動装置。
【請求項９】
請求項６に記載のディスク駆動装置において、前記弾性を有する部材は貫通孔を有したゴム状の部材からなることを特徴とするディスク駆動装置。
【請求項１０】
請求項７から９のいずれか１つに記載のディスク駆動装置において、前記貫通孔にはネジ部材の少なくとも一部が配置されていることを特徴とするディスク駆動装置。
【発明の詳細な説明】
【技術分野】
【０００１】
本発明は、ディスク駆動装置に関するものである。
【背景技術】
【０００２】
ディスク駆動装置については、これまで種々提案されてきており、例えば以下のような光磁気ディスク装置が知られている（例えば、特許文献１参照）。
【０００３】
この従来例の光磁気ディスク装置は、スピンドルモータを有したベースからなるモータ組立体が設けられ、このモータ組立体の片隅にカートリッジの有無等を検出するための押圧式センサが設けられている。そして、カートリッジの有無等を検出するための押圧式センサはカートリッジのケース上を直接押圧してカートリッジの有無等を検出するようになっている。
【０００４】
また、装置の本体ベースに回動するアームが設けられ、カートリッジの挿入によって、アームが回動し、この動きに連動してスピンドルモータを設けたベースが本体ベースに対して上下移動させるようになっている。
つまり、アームは引っ張りスプリングにより付勢されている摺動板によって係止固定状態を保っている。この係止固定状態においてカートリッジを挿入するとアームはカートリッジのケースに当接してから大トーションバネの反力に抗して回動してゆく。摺動板の４箇所に形成されている傾斜孔に入り込んでいるピンが傾斜孔内を移動し、ピンが側面に設けられたベースを斜め下方向に移動させようとする。ところが、ベースは案内ピンを介して上下移動するように規制されているので、ベースは上下方向に移動される。
この装置は、ディスクカートリッジが装置内に挿入されると、アームの回動により摺動板の係止固定状態が解除され、摺動板は引っ張りスプリングの付勢力によって移動する。
すると、摺動板の傾斜孔に沿ってモータ組立体がディスクカートリッジに接近し、ディスクカートリッジ内のディスクハブとベースに載置されたスピンドルモータのフランジとが磁気吸着によりチャッキングされる。
スピンドルモータの回転許可信号を出力するには、例えば、摺動板が常に移動されチャッキングが適正に行われるものと仮定して、ディスクカートリッジが装置内に挿入されたことを検出する押圧式センサからの挿入出力信号が出てからセルフタイマー等によって所定時間経過後にスピンドルモータの回転許可信号を出力する。
【０００５】
【特許文献１】特開平５−１５１７５３号公報
【発明の開示】
【発明が解決しようとする課題】
【０００６】
しかし、摺動板が適正に移動されない場合、当然チャッキングも正しく行われないまま所定時間経過後にスピンドルモータの回転駆動が始まってしまう。
本発明は、上記の特許文献１に開示の装置に比較して、簡単な構成で、ディスク状記録媒体とスピンドルモータとが確実に結合した状態の中で、スピンドルモータの回転駆動を開始することができる信頼性の得られる装置を提供することを目的とする。
【課題を解決するための手段】
【０００７】
請求項１に関する本発明のディスク駆動装置は、スピンドルモータの回転軸に結合されたディスク支持部材にディスク状記録媒体が支持された状態で前記回転軸の回転駆動によって前記ディスク状記録媒体が回転するものであり、前記スピンドルモータが結合された可動部材が前記ディスク状記録媒体の媒体面へ近づく方向に移動することにより、停止した状態の前記ディスク状記録媒体に前記ディスク支持部材が接触し、前記ディスク状記録媒体と前記ディスク支持部材とが結合する（スピンドルモータの回転駆動が開始したときディスク状記録媒体が回転する状態になっていれば「結合する」に該当する）ようにしたディスク駆動装置において、
前記媒体面に平行な仮想平面に平行な仮想直線の周りを前記可動部材は変位可能に配置されており、前記仮想平面にほぼ平行な直線方向（「前記仮想平面にほぼ平行な直線方向」とは「仮想平面に対しほぼ平行な直線を考えた場合、この直線の長さ方向」の意）に移動すると共に前記直線方向に対し傾斜した（「前記直線方向に対し傾斜した」とは、言い換えると「直線方向に平行な直線を考えたとき、当該直線に対し斜めに傾いている」の意）傾斜部を有する移動体が配置され、前記可動部材の一部は前記傾斜部に接触するものであり、前記移動体が前記直線方向に移動することにより前記可動部材は所定位置へ向かって移動し、前記可動部材が前記所定位置に達した状態において前記媒体面へ近づく方向への前記可動部材の移動は停止すると共に前記ディスク状記録媒体と前記ディスク支持部材とは結合されており、前記可動部材が前記所定位置に達した状態を位置検出器が検出した後、ＣＰＵは前記スピンドルモータの回転駆動を開始させるものであり、前記可動部材がどの位置に変位した場合であっても（「前記可動部材がどの位置に変位した場合であっても」とは、「仮想直線の周りを変位する可動部材が、移動できる範囲内で、どの様な位置に位置づけられている場合であっても」の意）、前記仮想直線と前記傾斜部との間の距離（「前記仮想直線と前記傾斜部との間の距離」とは、仮想直線と傾斜部との間の最短距離を言う）並びに前記仮想直線と前記位置検出器との間の距離（「前記仮想直線と前記位置検出器との間の距離」とは、仮想直線と位置検出器との間の最短距離を言う）の各前記距離（「前記仮想直線と前記傾斜部との間の距離」と「前記仮想直線と前記位置検出器との間の距離」）は前記仮想直線と前記回転軸との間の距離（「前記仮想直線と前記回転軸との間の距離」とは、仮想直線と回転軸との間の最短距離を言う）に比較して大となる関係の構成を備えていることを特徴とするものである。
請求項２に関する本発明のディスク駆動装置は、前記請求項１に記載のディスク駆動装置において、前記可動部材が前記所定位置に達した状態において、弾性部材の復元力によって前記可動部材の一部が前記移動体の面部に押圧されている（「押圧されている」とは「押しつけられている」の意）ことを特徴とするものである。
請求項３に関する本発明のディスク駆動装置は、請求項１に記載のディスク駆動装置において、前記移動体が前記直線方向へ移動する移動機構には、前記直線方向に延びた長孔と該長孔に係合する係合部材とからなる構成が含まれていることを特徴とするものである。
請求項４に関する本発明のディスク駆動装置は、前記請求項３に記載のディスク駆動装置において、前記長孔は前記移動体に配置されており、前記係合部材はベースに配置されていることを特徴とするものである。
請求項５に関する本発明のディスク駆動装置は、請求項１に記載のディスク駆動装置において、前記移動体は定められた第１の位置と定められた第２の位置との間を前記直線方向に移動するものであり、前記ディスク状記録媒体が前記ディスク駆動装置内に配置された後、前記移動体は前記第１の位置から前記第２の位置へ向かって移動を開始することを特徴とするものである。
請求項６に関する本発明のディスク駆動装置は、請求項１に記載のディスク駆動装置において、前記可動部材は変位可能な状態でベースに支持されており、前記スピンドルモータと前記ベースとは互いにつながるように連結された複数の部材を介して連結されており、前記複数の部材には弾性を有する部材が含まれていることを特徴とするものである。
請求項７に関する本発明のディスク駆動装置は、請求項６に記載のディスク駆動装置において、前記弾性を有する部材は貫通孔を有していることを特徴とするものである。
請求項８に関する本発明のディスク駆動装置は、請求項６に記載のディスク駆動装置において、前記弾性を有する部材は貫通孔を有し且つほぼリング形状を成していることを特徴とするものである。
請求項９に関する本発明のディスク駆動装置は、請求項６に記載のディスク駆動装置において、前記弾性を有する部材は貫通孔を有したゴム状の部材からなることを特徴とするものである。
請求項１０に関する本発明のディスク駆動装置は、請求項７から９のいずれか１つに記載のディスク駆動装置において、前記貫通孔にはネジ部材の少なくとも一部が配置されていることを特徴とするものである。
【実施例】
【０００８】
以下、図面を参照しながら、本発明の実施例を説明していく。図１、図２は、本発明に係るディスク駆動装置の第１実施例を示したものである。装置本体１の上にＸ方向（図面における左右方向）に移動自在な駆動プレート２が配設されている。
【０００９】
この駆動プレート２の一部にはＸ方向に長い孔３が形成されており、孔３の内部に位置した小ネジの柱状部４が前記本体１に固定され、駆動プレート２は小ネジの柱状部４にガイドされるようにＸ方向に移動できるようになっている。また、駆動プレート２のＸ（＋）方向先端には立ち上がり部２ａが形成され、本体１に設けられた支持ピン５に支持固定されＸ（＋）方向に付勢されている引っ張りコイルバネ６の他端が前記立ち上がり部２ａに固定されている。さらに、駆動プレート２のＸ（−）方向先端には、ゆるやかなカーブを描いて立ち上がる突き出し部２ｂが形成され、後述するスピンドルモータ用台座８の端部と当接するようになっている。前記突き出し部２ｂの一部には、後述する発光素子（ＬＥＤ）１５からの光ビームを通過させる通過孔２ｃが形成されている。
【００１０】
また、本体１上に突起部７を突設させてあり、この突起部７の側部には回動支点部７ａが設けられ、ここにスピンドルモータ用台座８のＸ（＋）方向端部８ａが回動可能に固定されている。スピンドルモータ用台座８のＸ（−）方向端部には立ち上がり部８ｂが形成されるとともに、前記したように駆動プレート２の突き出し部２ｂと当接するようになっている。しかも、スピンドルモータ用台座８の回動支点部７ａとの固定箇所には、スピンドルモータ用台座８を前記駆動プレート２に押しつけるように付勢された捩じりコイルバネ９が巻回されるとともにその一端を本体１の固定部９ａに固定させて設けられ、スピンドルモータ用台座８の立ち上がり部８ｂは駆動プレート２の突き出し部２ｂを押し付けるように当接している。
【００１１】
また、スピンドルモータ用台座８の上には、ディスクカートリッジ１０内の光ディスク（記録媒体）１１を回転操作するための駆動部となるスピンドルモータ（回転駆動手段）１２が配設されている。このスピンドルモータ１２は、振動吸収用のゴムリング１３を介してボルト１４により固定されており、上部にはスピンドルカップ１２ａが設けられ、スピンドルカップ１２ａの周囲には少なくとも３個の突起部１２ｂが突出形成されている。図１は、挿入されたディスクカートリッジ１０が所定位置に停止し、突起部１２ｂでディスクカートリッジ１０が支持されるとともに、スピンドルカップ１２ａにより光ディスク１１が支持されている状態を示している。
【００１２】
また、スピンドルモータ用台座８の立ち上がり部８ｂ近傍には、Ｙ（−）方向に向かって光ビームを照射する光学素子（ＬＥＤ）１５が設けられており、このＬＥＤ１５に対向する本体１の所要位置には光検出器１６が設けられている。なお、ＬＥＤ１５の発光面にはピンホールが形成された遮光リング１５ａが付設され、光ビームが適正に光検出器１６に向かって照射されるようになっている。そして、ＬＥＤ１５からの光ビームは、駆動プレート２の通過孔２ｃを通過した場合は光検出器１６で受光され、通過孔２ｃがずれた位置に移動した場合は駆動プレート２で遮光されるようになっている。図１は光検出器１６が受光している状態を示しており、図２は光ビームが遮光されている状態を示している。
【００１３】
以下、以上のように構成されている第１実施例の作用について説明する。先ず図２に示すようにディスク駆動装置は、駆動プレート２が図示していないトリガーレバー、例えば特開平５−１５１７５３号公報におけるアームの頭部によって引っ張りコイルバネ６の張力に抗してＸ（−）方向に位置している。この状態ではスピンドルモータ１２を設けてあるスピンドルモータ用台座８は、その立ち上がり部８ｂが駆動プレート２の突き出し部２ｂの谷に落ち込んでしまうため、回動支点部７ａを支点に回動し図面上右下がりに落ち込んだ状態となっている。
【００１４】
次に、ディスク駆動装置内にディスクカートリッジ１０が挿入されると、それまで駆動プレート２をロックしていたトリガーレバーの係合が解除され、駆動プレート２は引っ張りコイルバネ６の張力によってＸ（＋）方向に移動する。すると、駆動プレート２は捩じりコイルバネ９の付勢力によって序々にスピンドルモータ用台座８を回転支点部７ａを支点に回動させ、突き出し部２ｂの山がスピンドルモータ用台座８をＹ（＋）方向に図１に示すような位置まで押し上げる。すると、ディスクカートリッジ１０は前記突起部１２ｂで支持され、スピンドルカップ１２ａはディスクカートリッジ１０の開口内に位置するとともに、光ディスク１１を支持する。
【００１５】
このときＬＥＤ１５と、駆動プレート２の通過孔２ｃと、光検出器１６は直線上に並ぶので、ＬＥＤ１５から照射された光ビームは光検出器１６に到達し受光されることになる。すると、光検出器１６は検出出力を図示していないＣＰＵに供給し、ＣＰＵはスピンドルモータ１２が回転駆動位置にあることを認識する。そして認識と同時に、ＣＰＵはスピンドルモータ１２が回転駆動を開始するように指示制御する。次に、光ディスクを排出するという指令があった場合には、ＣＰＵはそれを認識し駆動プレート２をＸ（−）方向に移動制御し、トリガーレバーにより係止される位置まで移動させる。すると、駆動プレート２の通過孔２ｃはＬＥＤ１５と光検出器１６とを結ぶ直線から外れるので、ＬＥＤ１５からの光ビームは駆動プレート２によって遮断され光検出器１６に到達できなくなる。図２はこの状態を示しており、光検出器１６からの検出出力はＣＰＵに供給されなくなり、それを認識したＣＰＵはスピンドルモータ１２が回転駆動位置にないものとして回転駆動を停止させる。
【００１６】
以上のごとく第１実施例によると、駆動プレート２の移動にともない光検出器１６による光ビームの受光に確実な変化が生じ、これを利用してスピンドルモータ１２の回転駆動を即座に制御できる。したがって、スピンドルモータ１２の回転駆動のタイミングを失ったり、不要時に空回りさせてしまうようなことを防止できる。なお、図２のような状態においてＬＥＤ１５から誤って発光されても、駆動プレート２によって遮光され、光検出器１６で受光されることはなく不用意にスピンドルモータ１２を回転駆動させてしまうということはない。また、光検出器１６は光ビームを受光するかしないかの選択だけをするので、受光素子の形状にこだわる必要がない。
【００１７】
図３は、本発明に至るまでに開発したディスク駆動装置で参考例である。この参考例では、発光素子と受光素子とが一体になったフォトカプラ１７をスピンドルモータ１２の上部側壁に取り付け、ディスクカートリッジ１０の挿入を検出するとともに、スピンドルモータの回転駆動開始位置をも検出するようにしている。前記フォトカプラ１７は、ある角度をもって光ディスク１１またはディスクカートリッジ１０に光ビームを照射し、反射光を受光することにより、挿入されたディスクカートリッジ１０の有無を検出する。この検出信号をＣＰＵ（図示していない）に送信し、トリガーレバーにロックされていた駆動プレート２をＸ（＋）方向に移動させる。すると、スピンドルモータ１２を載置したスピンドルモータ用台座８は序々にＹ（＋）方向に上昇動し、図２に示した状態で停止する。
【００１８】
さらにフォトカプラ１７は、所定位置にあるディスクカートリッジ１０に対し光ビームを照射し、スピンドルモータの回転駆動開始位置にあることを検出し、検出信号をＣＰＵに送信する。その後、ＣＰＵはスピンドルモータに対し回転駆動するように制御信号を送信する。なお、本参考例においては前記フォトカプラ１７は、装置に電源が入った場合、光ビームを照射し、情報の記録、再生時は照射を中止するようになっている。このようにフォトカプラ１７でディスクカートリッジ１０の挿入を検出するとともに、スピンドルモータの回転駆動開始位置をも検出するようにしているので第１実施例のように駆動プレート２に光ビームの通過孔を形成したり、駆動プレート２を挟んでＬＥＤ、光検出器を設けるといった構成は不要となる。他の構成および作用については、第１実施例と略同様であるので詳細な説明は省略する。以上のごとき本参考例では、第１実施例と同様な効果を有する他、フォトカプラ１７で２種の検出を行うようにしているので、構成の簡素化、装置製造の効率化を図ることができる利点がある。
【００１９】
図４は、本発明に至るまでに開発した装置で参考例である。本体１上には、スピンドルモータ（図示していない）が昇降ブロック１８を介して上下動可能に配設されている。また、昇降ブロック１８の上面部中央には、ディスクカートリッジの開口に位置し内部の光ディスク（図示していない）を支持するスピンドルカップ１２ａが突出され、さらにこのスピンドルカップ１２ａの周囲には、ディスクカートリッジを支持する少なくとも３個の突起部１２ｂが突出形成されている。また、昇降ブロック１８の外周には、回動リング１９が設けられている。この回動リング１９には、その円周に沿って２箇所にわたり傾斜溝２０（図面上では傾斜溝２０は１個のみ表示）が形成されており、昇降ブロック１８に突設されたガイドピン２１を傾斜溝２０内に係合させることにより、昇降ブロック１８の上昇動を円滑に行わせるようになっている。なお、回動リング１９は、上方に抜け出てしまわないように下部がリング（ナット）３３でネジ止めされている。３３ａはネジ部である。
【００２０】
また、回動リング１９の一部にはＬ字状の遮光板２２が皿ネジ２３によって固定されている。この遮光板２２近傍の本体上には、ＬＥＤ２４と光検出器２５を一体的に設けたブロック体２６が固定され、遮光板２２の突片２２ａはＬＥＤ２４と光検出器２５との間に出入自在となっている。また、回動リング１９の一部でかつ前記遮光板２２固定位置と直径線上の反対側に扇状のラック２７が固定されている。そして、本体１上に設けられ昇降モータのシャフト（図示していない）に直結されたウォームギヤ２８が、ラック２７と噛み合っている。また、本体１には小ネジ２９によって台座３０が固定され、この台座３０の底面には昇降ブロック１８が昇降動する際に回転しないようにＬ字状のガイド板３１が小ネジ３２によって固定されている。なお、ガイド板３１は、その幅が昇降ブロック１８に形成された凹部と遊びがないように嵌合されている。
【００２１】
次に、以上のごとく構成されている参考例の作用について説明する。昇降モータが駆動しウォームギヤ２８が回転すると、ラック２７を介して回動リング１９が図面上左側（時計回り方向）に回動する。すると、傾斜溝２０に係合している昇降ブロック１８のガイドピン２１が、Ｏ１の位置からＯ２の位置さらにＯ３の位置へと序々に移行していくので、昇降ブロック１８はガイド板３１によって回転を規制されながら真っ直ぐに上昇していくことになる。それにともない、それまでＬＥＤ２４からの光ビームを遮光していた遮光板２２の突片２２ａは、遮光状態（図４の状態）を解除しＬＥＤ２４からの光ビームは光検出器２５で受光される状態となり、昇降ブロック１８が上昇したことが確認される。このときの光検出器２５からの出力信号を受信したＣＰＵは、スピンドルモータに駆動回転をするように制御信号を送る。
【００２２】
こうして、ディスクカートリッジの排出信号を検出したら、ＣＰＵはそのことを認識した後、スピンドルモータの駆動回転を停止するように制御信号を送る。その後、ウォームギヤ２８を駆動する直流モータ（図示していない）を逆駆動するように制御し、回動リング１９を図面上右側（反時計回り方向）に回動させる。すると、傾斜溝２０に係合している昇降ブロック１８のガイドピン２１が、Ｏ３の位置からＯ２の位置さらにＯ１の位置へと序々に移行していくので、昇降ブロック１８はガイド板３１によって回転を規制されながら真っ直ぐに下降していき、遮光板２２によってＬＥＤ２４からの光ビームが遮光される初期状態に戻る。
【００２３】
以上のごとく構成されている参考例は、第１実施例と同様な効果を有する他、昇降ブロック１８の外側に回動リング１９を設け、傾斜溝２０とガイドピン２１、ガイド板３１を介して昇降ブロック１８の上昇動、下降動を行わせるようにしているので第１実施例に比較し昇降ブロック１８の上下動ひいてはスピンドルモータの上下動がガタ少なく円滑に行われる。
【００２４】
本参考例では昇降ブロックが上昇し終わった時のみに光ビームを透過させるように遮光板２２を回動リング１９に固定したが、昇降ブロックが上昇し終わった時のみに光ビームを遮光するようにしてもよい。
【００２５】
請求項１に関する本発明のディスク駆動装置は、スピンドルモータ（例えば図１の場合ではスピンドルモータ１２）の回転軸（例えば図１の場合では、スピンドルモータ１２の下面の中央から図１の上から下方向であるＹ−方向に伸びた棒形状を表す線図が回転軸の一部を示す）に結合されたディスク支持部材（例えば図１の場合ではスピンドルカップ１２ａ）にディスク状記録媒体（例えば光ディスク１１）が支持された状態で前記回転軸の回転駆動によって前記ディスク状記録媒体が回転するものであり、前記スピンドルモータが結合された可動部材（例えば図１の場合では、スピンドルモータ用台座８とゴムリング１３とボルト１４とＬＥＤ１５と遮光リング１５ａと捩りコイルバネ９との結合体）が前記ディスク状記録媒体の媒体面へ近づく方向（例えば図１の場合では、ほぼ下から上方向である、ほぼＹ+方向）に移動することにより、停止した状態の前記ディスク状記録媒体に前記ディスク支持部材が接触し、前記ディスク状記録媒体と前記ディスク支持部材とが結合するようにしたディスク駆動装置において、
前記媒体面に平行な仮想平面に平行な仮想直線（例えば図１の場合では、例えば回動支点部７ａの回転中心を通り紙面に垂直な直線）の周りを前記可動部材は変位可能に配置されており、前記仮想平面にほぼ平行な直線方向（例えば図１の場合では、図の水平方向であるＸ方向）に移動すると共に前記直線方向に対し傾斜した傾斜部（例えば図１の突き出し部２ｂの傾斜した上面部分）を有する移動体（例えば図１の駆動プレート２）が配置され、前記可動部材の一部（例えば図１の場合では、スピンドルモータ用台座８の図に向かって右側の端部、言い換えると、立ち上がり部８ｂの角部）は前記傾斜部に接触するものであり、前記移動体が前記直線方向に移動することにより前記可動部材は所定位置（例えば前記実施例におけるスピンドルモータ用台座８とゴムリング１３とボルト１４とＬＥＤ１５と遮光リング１５ａと捩りコイルバネ９のそれぞれが図１の様に配置されている位置）へ向かって移動し、前記可動部材が前記所定位置に達した状態において前記媒体面へ近づく方向への前記可動部材の移動は停止すると共に前記ディスク状記録媒体と前記ディスク支持部材とは結合されており、前記可動部材が前記所定位置に達した状態を位置検出器（例えば図１の光検出器１６とＬＥＤ１５と遮光リング１５ａとの組み合わせからなる構成。ＬＥＤ１５と遮光リング１５ａとは可動部材の一部でもある）が検出した後、ＣＰＵは前記スピンドルモータの回転駆動を開始させるものであり、前記可動部材がどの位置に変位した場合であっても、前記仮想直線と前記傾斜部との間の距離並びに前記仮想直線と前記位置検出器との間の距離の各前記距離は前記仮想直線と前記回転軸との間の距離に比較して大となる関係の構成を備えていることを特徴とするから、前述した特許文献１に開示の装置に比較して、簡単な構成で、ディスク状記録媒体とスピンドルモータとが確実に結合した状態の中で、スピンドルモータの回転駆動を開始することができる信頼性の得られる装置を提供できる利点がある。
請求項２に関する本発明のディスク駆動装置は、請求項１に記載のディスク駆動装置において、前記可動部材が前記所定位置に達した状態において、弾性部材（例えば図１の捩じりコイルバネ９。捩じりコイルバネ９は可動部材の一部でもある）の復元力によって前記可動部材の一部が前記移動体の面部に押圧されていることを特徴とするから、信頼性の得られる情報の読み取り等が期待できる利点がある。
請求項３に関する本発明のディスク駆動装置は、請求項１に記載のディスク駆動装置において、前記移動体が前記直線方向へ移動する移動機構には、前記直線方向に延びた長孔（例えば図１の長い孔３）と該長孔に係合する係合部材（例えば図１の小ネジの柱状部４）とからなる構成が含まれていることを特徴とするから、簡単な構成により信頼性の得られるディスク状記録媒体とスピンドルモータとの結合が実現できる。
請求項４に関する本発明のディスク駆動装置は、請求項３に記載のディスク駆動装置において、前記長孔は前記移動体に配置されており、前記係合部材はベース（例えば図１の場合では、本体１）に配置されていることを特徴とするから、簡単な構成により信頼性の得られるディスク状記録媒体とスピンドルモータとの結合が実現できる。
請求項５に関する本発明のディスク駆動装置は、請求項１に記載のディスク駆動装置において、前記移動体は定められた第１の位置（例えば図２において駆動プレート２が配置されている位置）と定められた第２の位置（例えば図１において駆動プレート２が配置されている位置）との間を前記直線方向に移動するものであり、前記ディスク状記録媒体が前記ディスク駆動装置内に配置された後、前記移動体は前記第１の位置から前記第２の位置へ向かって移動を開始することを特徴とするから、簡単な構成で信頼性の得られる装置を提供できる利点がある。
請求項６に関する本発明のディスク駆動装置は、請求項１に記載のディスク駆動装置において、前記可動部材は変位可能な状態でベース（例えば図１の場合では、本体１）に支持されており、前記スピンドルモータと前記ベースとは互いにつながるように連結された複数の部材を介して連結されており（例えば図１の場合では、スピンドルモータ１２と本体１とは、互いにつながるように連結されたゴムリング１３，スピンドルモータ用台座８，回動支点部７ａの複数の部材を介して連結されている。突起部７は本体１と一体となった構成の一部であるため「複数の部材」に含めていない。）、前記複数の部材には弾性を有する部材（例えば図１のゴムリング１３。ゴムリング１３は可動部材の一部でもある）が含まれていることを特徴とするから、簡単な構成で信頼性の得られる装置を提供できる利点がある。
請求項７に関する本発明のディスク駆動装置は、請求項６に記載のディスク駆動装置において、前記弾性を有する部材は貫通孔を有していることを特徴とするから、簡単な構成で信頼性の得られる装置を提供できる利点がある。
請求項８に関する本発明のディスク駆動装置は、請求項６に記載のディスク駆動装置において、前記弾性を有する部材は貫通孔を有し且つほぼリング形状を成していることを特徴とするから、簡単な構成で信頼性の得られる装置を提供できる利点がある。
請求項９に関する本発明のディスク駆動装置は、請求項６に記載のディスク駆動装置において、前記弾性を有する部材は貫通孔を有したゴム状の部材からなることを特徴とするから、簡単な構成で信頼性の得られる装置を提供できる利点がある。
請求項１０に関する本発明のディスク駆動装置は、請求項７から９のいずれか１つに記載のディスク駆動装置において、前記貫通孔にはネジ部材の少なくとも一部（例えば図１の場合では、ボルト１４のネジが切られている棒状部分の一部。ボルト１４は可動部材の一部でもある）が配置されていることを特徴とするから、簡単な構成で信頼性の得られる装置を提供できる利点がある。
【図面の簡単な説明】
【００２６】
【図１】本発明に係るディスク駆動装置の第１実施例を示したもので、スピンドルモータが回転駆動位置にある状態を示した側面図である。
【図２】同じくディスク駆動装置の第１実施例を示したもので、スピンドルモータが下降した状態を示した側面図である。
【図３】本発明に至るまでに開発したディスク駆動装置の参考例を示したもので、スピンドルモータが回転駆動位置にある状態を示した側面図である。
【図４】同じく、本発明に至るまでに開発したディスク駆動装置の参考例を示したもので、ＬＥＤからの光ビームが遮光板により遮光された状態を示した側面図である。
【符号の説明】
【００２７】
１  本体
２  駆動プレート
２ａ  立ち上がり部
２ｂ  突き出し部
２ｃ  通過孔
３  孔
４  小ネジの柱状部
５  支持ピン
６  引っ張りコイルバネ
７  突起部
８  スピンドルモータ用台座
８ａ  端部
８ｂ  立ち上がり部
９  コイルバネ
１０  ディスクカートリッジ
１１  光ディスク
１２  スピンドルモータ
１３  ゴムリング
１４  ボルト
１５  ＬＥＤ
１６  光検出器
【図１】
0003722818.tif 000002
【図２】
0003722818.tif 000003
【図３】
0003722818.tif 000004
【図４】
0003722818.tif 000005